【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
画像を出力する画像出力手段と、
音声を再生する音声再生手段と、
前記画像出力手段が出力する前記画像の枚数と、前記音声再生手段から前記音声を再生する時間とから、画像を出力する時間を算出する再生時間算出手段と、
前記再生時間算出手段で算出した時間に応じて、前記画像出力手段から前記画像を出力しながら、前記音声再生手段から音声を再生する出力制御手段と
で構成され、
前記再生時間算出手段は、前記画像に画像が追加された場合に、前記音声の残りの再生時間に応じて、前記画像および前記追加画像を出力する時間を計算すること
を特徴とする画像再生装置。
【請求項２】
前記画像出力手段が、前記画像を複数回繰り返して出力する場合に、
前記再生時間算出手段は、前記画像の出力回数と、１回当たりの画像の出力枚数と、前記音声再生手段から前記音声を再生する時間とから、画像を出力する時間を計算し、前記画像が追加された場合に、音声の残りの再生時間に応じて、前記画像および前記追加画像の出力回数を計算すること
を特徴とする請求項１に記載の画像再生装置。
【請求項３】
前記再生時間算出手段は、前記画像に画像が追加された場合に、音声の残りの再生時間に応じて、前記画像の出力枚数を減らすこと
を特徴とする請求項１に記載の画像再生装置。
【請求項４】
前記再生時間算出手段は、前記画像に画像が追加された場合に、前記追加画像の枚数と同じ枚数の画像を前記画像から削除すること
を特徴とする請求項１に記載の画像再生装置。
【請求項５】
前記再生時間算出手段は、前記画像に画像が追加された場合に、前記追加画像を出力する時間に応じて、前記音声再生手段から前記音声を再生する時間を可変すること
を特徴とする請求項１に記載の画像再生装置。
【請求項６】
前記出力制御手段は、前記画像に画像が追加された場合に、前記音声再生手段から出力する前記音声に音声を追加すること
を特徴とする請求項１に記載の画像再生装置。
【請求項７】
前記出力制御手段は、前記画像を出力する時間に応じて、前記追加音声の再生を途中でフェードアウトすること
を特徴とする請求項６に記載の画像再生装置。
【請求項８】
前記追加画像と前記追加音声とを入力する音声画像情報入力手段を設けたこと
を特徴とする請求項１から７のいずれか一項に記載の画像再生装置。
【請求項９】
前記画像出力手段は、前記画像および前記追加画像の表示領域を変化させること
を特徴とする請求項１から８のいずれか一項に記載の画像再生装置。
【請求項１０】
画像を入力する入力手段と、
前記入力された画像から複数の画像を選択し、前記複数の画像を順次出力する画像出力手段と、
前記画像出力手段が前記画像を出力中に、前記入力手段に画像が追加されたときに、前記画像出力手段に前記追加された画像を出力させる出力制御手段とを有すること
を特徴とする画像再生装置。
【請求項１１】
請求項１０に記載の画像再生装置において、
前記出力制御手段は、前記画像追加時に前記画像出力手段が出力している画像の次に前記追加画像を表示すること
を特徴とする画像再生装置。
【請求項１２】
請求項１０に記載の画像再生装置において、
前記出力制御手段は、前記複数の画像が出力された後に前記追加画像を表示すること
を特徴とする画像再生装置。
【請求項１３】
請求項１から１２のいずれか一項に記載の画像再生装置に撮影手段を設けたカメラにおいて、
前記追加画像は、前記撮影手段によって撮影された画像とすること
を特徴とするカメラ。
【請求項１４】
画像を出力媒体に出力するコンピュータで実行される画像再生プログラムであって、
画像を前記出力媒体に出力する画像出力処理と、
音声を再生する音声再生処理と、
前記画像出力処理で出力される前記画像の枚数と、前記音声再生処理が前記音声を再生する時間とから、画像を出力する時間を算出する再生時間算出処理と、
前記再生時間算出処理で算出した時間に応じて、前記画像出力処理で前記画像を出力しながら、前記音声再生処理で音声を再生する出力制御処理と
で構成され、
前記再生時間算出処理は、前記画像に新たな画像が追加された場合に、前記音声の残りの再生時間に応じて、前記画像および前記追加画像を出力する時間を計算すること
を特徴とする画像再生プログラム。
【請求項１５】
画像を出力媒体に出力するコンピュータで実行される画像再生プログラムであって、
画像を入力する入力処理と、
前記入力された画像から複数の画像を選択し、前記複数の画像を前記出力媒体に順次出力する画像出力処理と、
前記画像出力処理で前記画像を出力中に、前記入力処理で画像が追加されたときに、前記画像出力処理に前記追加された画像を出力させる出力制御処理と
で構成されることを特徴とする画像再生プログラム。
【手続補正２】
【補正対象書類名】明細書
【補正対象項目名】００１１
【補正方法】変更
【補正の内容】
【００１１】
また、本発明に係る画像再生装置は、画像を入力する入力手段と、前記入力された画像から複数の画像を選択し、前記複数の画像を順次出力する画像出力手段と、前記画像出力手段が前記画像を出力中に、前記入力手段に画像が追加されたときに、前記画像出力手段に前記追加された画像を出力させる出力制御手段とを有することを特徴とする。
【手続補正３】
【補正対象書類名】明細書
【補正対象項目名】００１２
【補正方法】変更
【補正の内容】
【００１２】
特に、前記出力制御手段は、前記画像追加時に前記画像出力手段が出力している画像の次に前記追加画像を表示することを特徴とする。
【手続補正４】
【補正対象書類名】明細書
【補正対象項目名】００１３
【補正方法】変更
【補正の内容】
【００１３】
或いは、前記出力制御手段は、前記複数の画像が出力された後に前記追加画像を表示することを特徴とする。
【手続補正５】
【補正対象書類名】明細書
【補正対象項目名】００１４
【補正方法】変更
【補正の内容】
【００１４】
また、上記の画像再生装置に撮影手段を設けたカメラにおいて、前記追加画像は、前記撮影手段によって撮影された画像とすることを特徴とする。
また、本発明に係る画像再生プログラムは、画像を出力媒体に出力するコンピュータで実行される画像再生プログラムであって、画像を前記出力媒体に出力する画像出力処理と、音声を再生する音声再生処理と、前記画像出力処理で出力される前記画像の枚数と、前記音声再生処理が前記音声を再生する時間とから、画像を出力する時間を算出する再生時間算出処理と、前記再生時間算出処理で算出した時間に応じて、前記画像出力処理で前記画像を出力しながら、前記音声再生処理で音声を再生する出力制御処理とで構成され、前記再生時間算出処理は、前記画像に新たな画像が追加された場合に、前記音声の残りの再生時間に応じて、前記画像および前記追加画像を出力する時間を計算することを特徴とする。
或いは、画像を出力媒体に出力するコンピュータで実行される画像再生プログラムであって、画像を入力する入力処理と、前記入力された画像から複数の画像を選択し、前記複数の画像を前記出力媒体に順次出力する画像出力処理と、前記画像出力処理で前記画像を出力中に、前記入力処理で画像が追加されたときに、前記画像出力処理に前記追加された画像を出力させる出力制御処理とで構成されることを特徴とする。